(57)【要約】  尿失禁を防止するのに好適なアンダーガーメントの提供。  アンダーガーメント（１）の前身頃（２）と後身頃（３）とが弾性的に伸長する生地で形成され、クロッチ部（４）の前端部と後端部とが前身頃（２）と後身頃（３）とに接合される。前身頃（２）はアンダーガーメント着用者の腹部を覆うことができ、かつ、後身頃（３）はアンダーガーメント着用者の臀部と臀溝と脇部とを覆うことができるように形成されている。アンダーガーメント（１）は、着用状態にあるときのクロッチ部（４）、臀溝を覆う部分および脇部を覆う部分（７）における衣服圧が腹部を覆う部分（２）における衣服圧よりも高くなるように形成されている。
2014163125.tif 000002
【特許請求の範囲】
【請求項１】
横方向およびこれに直交する縦方向を有し、弾性的に伸長する前身頃および後身頃と、前端部および後端部を有するクロッチ部とを含み、前記クロッチ部の前記前端部および前記後端部は、前記前身頃および前記後身頃に接合されているアンダーガーメントであって、
着用時において、前記前身頃は前記アンダーガーメントの着用者の腹部を覆うことができ、かつ、前記後身頃は前記着用者の臀部と臀溝と脇部とを覆うことができるように形成され、前記クロッチ部は、着用者のクロッチ部を覆うことができるように形成されていて、前記横方向の中央部に前記縦方向へ伸長しない、前記アンダーガーメントの表側に位置する第１クロッチ部と、前記縦方向へ弾性的に伸長し前記アンダーガーメントの裏側に位置し前記第１クロッチ部に重なる第２クロッチ部とを含み、
成人女子の人体ダミーに着用させたときの前記アンダーガーメントによって生じる衣服圧は、前記アンダーガーメントのウエストラインにおける前記衣服圧を除いて、前記クロッチ部、前記臀溝を覆う部分および前記脇部を覆う部分における前記衣服圧が前記腹部を覆う部分における前記衣服圧よりも高い前記アンダーガーメント。
【請求項２】
前記クロッチ部における前記衣服圧が前記臀溝を覆う部分および前記脇部を覆う部分における前記衣服圧の最大値よりも高い請求項１記載のアンダーガーメント。
【請求項３】
前記衣服圧は、前記クロッチ部における衣服圧、前記臀溝を覆う部分における衣服圧の最大値、前記脇部を覆う部分における衣服圧、前記腹部を覆う部分における衣服圧の順に低くなる請求項１または２記載のアンダーガーメント。
【請求項４】
前記前身頃および前記後身頃は弾性的に伸長する生地から形成され、該生地には、互いに直交する二方向へ弾性的に伸長する第１弾性生地が使用され、前記第１クロッチ部の前記中央部には非伸長性生地が使用され、前記第２クロッチ部には弾性的な伸長性を有する第２弾性生地が使用されており、
前記後身頃の裏側には、前記ウエストラインに沿う部分と、前記クロッチ部の後端部から前記脇部にまで延びる前記臀溝を覆う部分と、前記臀溝を覆う部分から前記ウエストラインに沿う部分にまで延びる前記脇部を覆う部分とにおいて前記第１弾性生地に対しての当て布が接合され、前記当て布もまた互いに直交する二方向への弾性的伸長性を有しており、
前記第１クロッチ部は、前記クロッチ部の前記前端部分と前記後端部分とになる前端部分と後端部分とが前記前身頃と前記後身頃とに接合され、
前記第２クロッチ部は、前記第１クロッチ部の前記前端部分と前記後端部分とに縫合されていて、前記前端部分と前記後端部分との間では前記第１クロッチ部から分離している請求項１−３のいずれかに記載のアンダーガーメント。
【請求項５】
前記当て布は、前記第１弾性生地よりも高い伸長力を有するものである請求項４記載のアンダーガーメント。
【請求項６】
前記アンダーガーメントの裏側には、着用時において臀裂に沿って前記アンダーガーメントの前記縦方向へ延びていて下端部が前記第２クロッチ部の前記後端部分に接合され、上端部が前記ウエストラインに接合されているパワーネットで形成されたブリッジを有し、前記第２クロッチ部の前記後端部分は前記横方向の両側部においてのみ前記第１クロッチ部に接合されている請求項４または５記載のアンダーガーメント。
【請求項７】
前記第２クロッチ部の前記前端部分は、着用時において恥骨に相当する位置または恥骨よりも下方の位置で前記前身頃に接合されている請求項４−６のいずれかに記載のアンダーガーメント。
【請求項８】
前記脇部における前記当て布は、着用時において腸骨の位置または腸骨よりも後方の位置で前記アンダーガーメントに接合されている請求項４−７のいずれかに記載のアンダーガーメント。
【請求項９】
前記アンダーガーメントの前記前身頃は、着用時において恥骨より上方に位置しかつ腸骨と腸骨との間に位置して前記腹部を覆う部分が前記第１弾性生地だけで形成されている請求項４−８のいずれかに記載のアンダーガーメント。
【請求項１０】
前記第２クロッチ部は、非透水性生地と、パワーネットと、マーキゼットとが順に重なる三層構造を有し、前記非透水性生地が前記アンダーガーメントの着用者の肌と向かい合う位置にある請求項４−９のいずれかに記載のアンダーガーメント。
【請求項１１】
前記第１クロッチ部の前記非伸長性生地がサテンである請求項４−１０のいずれかに記載のアンダーガーメント。
【請求項１２】
前記ウエストラインと前記脇部とが交差する部位において、前記当て布が重なり合っている請求項４−１１のいずれかに記載のアンダーガーメント。
【発明の詳細な説明】
【技術分野】
【０００１】
この開示は、骨盤底筋骨をサポートして、骨盤底筋のゆるみに起因する尿失禁を防止することに好適なアンダーガーメントに関する。
【背景技術】
【０００２】
骨盤のゆるみやずれに起因する諸症状を防止するためのサポーターを兼ねたパンティやガードルは従来公知である。【０００３】
例えば、実開昭５８−４６３１３号公報（特許文献１）に記載の女性用骨盤サポーターは、伸縮性がある布で作った女性用パンティーに弾力性が強いベルトが取り付けられている。ベルトは、両腸骨稜、恥骨結合部、仙骨下方部分を圧迫するように取り付けられている。パンティーの前面には、適度の圧迫が下腹部に加えられることを目的に、伸縮性に乏しい布が取り付けられている。【０００４】
特許第４７８９６８４号公報（特許文献２）に記載の体型補正衣類は、骨盤のずれ防止や姿勢矯正を目的に、ガードルやタイツ等として使用することができ、前身頃にはＶゾーンが形成され、主帯状部位がＶゾーンの左右両側から後身頃の中央部まで骨盤相当部の周囲を取り巻くように配置されていて、Ｖゾーンから左右方向に向かって強い緊締力を作用させることができる。Ｖゾーンの下腹部相当部には、左右方向に強い緊締力を有する補助帯状部位が主帯状部位よりも下方に配置してある。補助帯状部位はＶゾーンを上向きに引っ張り上げる分力を発生させることができる。
【先行技術文献】
【特許文献】
【０００５】
【特許文献１】実開昭５８−４６３１３号公報（ＪＰ  １９８３−４６３１３  Ｕ）
【特許文献２】特許第４７８９６８４号公報（ＪＰ  ４７８９６８４  Ｂ２）
【発明の概要】
【発明が解決しようとする課題】
【０００６】
従来のパンティーや体型補正衣類は、骨盤を下から上へと持ち上げる作用を有するものであるが、その作用と共に腹部を圧迫する作用を有するものでもある。しかるに、出産後の女性や中高年の女性が経験することの多い腹圧性尿失禁は、腹部を圧迫することによってその頻度が高くなる傾向にあると考えられる。【０００７】
本発明では、腹圧性尿失禁を軽度にしたり防止したりすることができるように改良された女性用アンダーガーメントの提供を課題にしている。
【課題を解決するための手段】
【０００８】
開示に係る本発明は、横方向およびこれに直交する縦方向を有し、弾性的に伸長する前身頃および後身頃と、前端部および後端部を有するクロッチ部とを含み、前記クロッチ部の前記前端部および前記後端部は、前記前身頃および前記後身頃に接合されているアンダーガーメントの改良にある。【０００９】
本発明は、さらに次の構成を含む。着用時において、前記前身頃は前記アンダーガーメントの着用者の腹部を覆うことができ、かつ、前記後身頃は前記着用者の臀部と臀溝と脇部とを覆うことができるように形成され、前記クロッチ部は、着用者のクロッチ部を覆うことができるように形成されていて、前記横方向の中央部に前記縦方向へ伸長しない、前記アンダーガーメントの表側に位置する第１クロッチ部と、前記縦方向へ弾性的に伸長し前記アンダーガーメントの裏側に位置し前記第１クロッチ部に重なる第２クロッチ部とを含み、成人女子の人体ダミーに着用させたときの前記アンダーガーメントによって生じる衣服圧は、前記アンダーガーメントのウエストラインにおける前記衣服圧を除いて、前記クロッチ部、前記臀溝を覆う部分および前記脇部を覆う部分における前記衣服圧が前記腹部を覆う部分における前記衣服圧よりも高い。【００１０】
用語「アンダーガーメント」は、パンティ、ガードル、女性用パンツ、女性用アンダーショーツを含む女性用下着を指し、本発明は、その他の女性用アンダーガーメント、例えば、女性用ブリーフ、女性用タイツ、女性用骨盤サポーターにも適用可能であることを理解されたい。
用語「接合」は、縫合すること、接着剤または溶着によって継ぎ合せること、好ましくは縫合を指す。
【発明の効果】
【００１１】
本発明の一つ以上の実施形態に係るアンダーガーメントは、それを着用したときに、クロッチ部、臀溝を覆う部分および脇部を覆う部分における衣服圧が腹部を覆う部分における衣服圧よりも高く、クロッチ部と臀溝を覆う部分とによって骨盤を下方から支えると同時に脇部を覆う部分で骨盤を側方から支えることによって、骨盤底筋の収縮を容易にすることができる。加えて、腹圧による腹部の変形を前身頃の外側に向かって逃がすこともできる。このようなアンダーガーメントでは、骨盤底筋を腹圧によって押し下げることがなく、ゆるんだ骨盤底筋であっても膀胱や尿道を締め付けるように作用することが可能になる。それゆえ、本発明の一つ以上の実施形態に係るアンダーガーメントによれば、腹圧性尿失禁を軽度にしたり防止したりすることができる。
【図面の簡単な説明】
【００１２】
図面は、開示の本発明の実施形態を示し、発明の不可欠な構成ばかりでなく、選択的および好ましい実施形態を含む。
【図１】（ａ）と（ｂ）とによって、本発明に係るアンダーガーメントの典型的な表側を示す図。（ａ）は主として前身頃を示し、（ｂ）は主として後身頃を示す。
【図２】（ａ）と（ｂ）とによって、本発明に係るアンダーガーメントの典型的な裏側を示す図。（ａ）は主として前身頃を示し、（ｂ）は主として後身頃を示す。
【図３】各種アンダーガーメントの衣服圧の測定結果を示す図。
【図４】ダミーにおける衣服圧の測定部を示す図。
【発明を実施するための形態】
【００１３】
下記の実施形態は、図１〜３に示すアンダーガーメントに関し、発明の不可欠な構成ばかりでなく、選択的および好ましい構成を含む。
添付の図面を参照して、開示の本発明に係るアンダーガーメントの一例を説明すると、以下のとおりである。
【００１４】
図１の（ａ）において、アンダーガーメント１は、前身頃２と、後身頃３と、クロッチ部４とを備え、前身頃２と後身頃３とによってウエスト開口１ａが画定され、前身頃２と後身頃３とクロッチ部４とによって一対のレッグ開口１ｂが画定されている。アンダーガーメント１はまた、互いに直交する縦方向Ａと横方向Ｂとを有し、横方向Ｂの寸法を二等分する線Ｃ−Ｃに関して対称に作られている。
【００１５】
前身頃２と後身頃３とは、縦方向Ａと横方向Ｂとの二方向へ弾性的に伸長する本発明においての第１弾性生地、例えばツーウェイストレッチ生地として知られるベア天竺を含んでいる。図示例において、前身頃２の生地幅は、後身頃３の生地幅よりもやや狭く、図１の（ａ）には前身頃２と後身頃３とのシーム線６が見えている。アンダーガーメント１において、シーム線６に沿う部分は着用者の脇部（図示せず）を覆う部分７である。
【００１６】
クロッチ部４は、アンダーガーメント１の表側に位置する第１クロッチ部４ａとアンダーガーメント１の裏側に位置していて第１クロッチ部４ａに重なる後記第２クロッチ部４ｂとを備え、図１，２に表われている第１クロッチ部４ａは、少なくとも、横方向Ｂの中央部分１１が縦方向Ａと横方向Ｂとにおいて伸長することがないかまたは殆ど伸長することのない実質的に非伸長性の生地、例えばノンストレッチ生地として知られるサテン（商品名、以下同じ）によって形成されている。第１クロッチ部４ａの両側部１２には、前身頃２と共布の弾性生地が使用されている。この弾性生地は、第１クロッチ部４ａの肌触りを柔軟にするためのものであって、それを省いてアンダーガーメント１を作ることもできる。第１クロッチ部４ａには、前身頃２とのシーム線１３と、中央部分１１と両側部分１２のそれぞれとのシーム線１６とが見えている。クロッチ部４および第１クロッチ部４ａに関して、横方向Ｂは、幅方向といい換えることができる。
【００１７】
図１の（ｂ）において、後身頃３にはアンダーガーメント着用者の臀裂（図示せず）を覆う部分である臀裂部１７に対して、縦方向Ａへ延びる非弾性的な生地がシーム線１４と一対のシーム線１８と、一対のシーム線１８と１８との間に延びるシーム線１９とによって縫合されている。シーム線１４は、後身頃３と第１クロッチ部４ａとを継いており、弧を画く一対のシーム線１８と水平に延びるシーム線１９とは、臀裂部１７の非弾性的な生地を後身頃３に接合、例えば縫合している。シーム線１８は、アンダーガーメント１のウエストライン２１にまで延びている。臀裂部１７の非弾性的なパッチ生地は、第１クロッチ部４ａの中央部分１１と共布にしてある。このような後身頃３は、一対のシーム線１８によって、着用者の左側臀部を覆う左臀部３Ｌと、右側臀部を覆う右臀部３Ｒとに二分されている。本発明において、左と右とは、着用者にとっての左と右とを意味している。
【００１８】
図２は、図１のアンダーガーメント１を裏返すことによってアンダーガーメント１の裏側を示す図であり、（ａ）は主として前身頃２の裏側を示し、（ｂ）は主として後身頃３の裏側を示している。
【００１９】
図２の（ａ）において、後身頃３には、ツーウェイストレッチ生地として、ベア天竺（商品名、以下同じ）の他にＣＳＹ天竺（商品名、以下同じ）を使用することもできる。図２の（ａ）においてはまた、脇部を覆う部分７のうちで前身頃２に属する部分７ａには、アンダーガーメント１の第１当て布（パッチ）３１として前身頃２における第１弾性生地よりも高い伸長力を有する生地、例えば一枚のパワーネット（商品名）がシーム線６とシーム線３２，３３，３４とにおいて前身頃２に接合、例えば縫合されている。シーム線３２は、ウエストライン２１を形成している前身頃２の生地とその折り返し部分の生地および後身頃３の生地とその折り返し部分生地とに対して形成されており、シーム線３３はレッグ開口１ｂの周縁に対して施された「かがり（ステッチ）」である。シーム線３４は、第１当て布３１を前身頃２に接合、例えば縫合するためのものである。脇部を覆う部分７のうちで後身頃３に属する部分７ｂには、アンダーガーメント１における第２当て布（パッチ）３６として後身頃３における弾性生地よりも高い伸長力を有する生地、例えば二枚重ねにしてあるいわゆるパワーネット（商品名、以下同じ）がシーム線６とシーム線３２，３３とにおいて後身頃３に接合、例えば縫合されている。
【００２０】
第１クロッチ部４ａの裏地３７には、前身頃２の共布が使用されている。第１クロッチ部４ａの裏側には、シーム線１３から図の下方へ延びる第２クロッチ部４ｂが形成されている。第２クロッチ部４ｂは、破断して示されている部分から明らかなように、互いに重なり合う第１，第２，第３シート５１，５２，５３によって形成されている。第１シート５１は、第２クロッチ部４ｂにおける防水シートであって、不透水性シートによって形成されていて着用者の肌と向かい合う位置にあり、アンダーガーメント１と併用させる場合の失禁パッド（図示せず）を重ね合わせることができる。第２シート５２は、着用者の骨盤底筋（図示せず）を下方から支えるためのもので、アンダーガーメント１の縦方向において弾性的に伸長可能である本発明においての第２弾性生地、例えばパワーネットが使用される。第３シート５３は、失禁パッドにおける粘着性のウイング部分（図示せず）を剥離可能に止着するためのものであって、例えばいわゆるマーキゼット（商品名、以下同じ）が使用される。ただし、アンダーガーメント１が失禁パッドの使用を考慮に入れる必要がないものである場合においては、換言するとアンダーガーメント１が骨盤底筋や骨盤のサポートだけを目的にするものである場合においては、第２クロッチ部４ｂから第１シート５１と第３シート５３とを省くことができる。図２（ａ）の第２クロッチ部４ｂは、前端部分４１ａが第１クロッチ部４ａとともに横方向Ｂの全体においてアンダーガーメント１に接合、例えば縫合されているが、縦方向Ａへ延びる両側縁部４１ｃは第１クロッチ部４ａの裏面から分離している。
【００２１】
図２の（ｂ）において、後身頃３の左臀部３Ｌと右臀部３Ｒとのそれぞれでは、ウエストライン２１に沿って横方向Ｂへ延びる部分に対する当て布として、後身頃３における弾性生地よりも高い伸長力を有する生地、例えば一枚のパワーネット６１がシーム線６，１８，３２，６２において接合、例えば縫合されている。シーム線６２は、シーム線６（図２の（ａ）参照）とシーム線１８との間にあって弧を画いている。また、第１クロッチ部４ａの後端部４０ｂから脇部を覆う部分７ｂの下端部６３に至るまでの着用者の臀溝に相当する臀溝部分３５と、脇部を覆う部分７ｂの下端部６３からウエストライン２１に至るまでの脇部を覆う部分７ｂとには、当て布（パッチ）として後身頃３における第１弾性生地よりも高い伸長力を有する、例えば二枚重ねのパワーネット６４がシーム線６（図２（ａ）参照），１８，３３，６６によってアンダーガーメント１に接合、例えば縫合されている。シーム線６６は、シーム線１８とシーム線３２との間にあって、弧を画いて延びている。後身頃３ではまた、中心線Ｃ−Ｃに沿って縦方向Ａへ延びるブリッジ６７の上端部６８がシーム線３２において後身頃３に接合、例えば縫合されている。ブリッジ６７の下端部６９は、第２クロッチ部４ｂの後端部分４１ｂに縫合されている。ブリッジ６７は縦方向Ａと横方向Ｂとのうちの少なくとも縦方向Ａにおいて弾性的に伸長可能な生地、例えばパワーネットによって形成されている。そのパワーネットの両側縁部には、かがり（図示せず）が施されている。なお、図示例のブリッジ６７は縦方向Ａの中間部分が破断された状態で示されている。
【００２２】
図２の（ｂ）においてはまた、第２クロッチ部４ｂの後端部分４１ｂがシーム線１４とほぼ重なり合うように弧を画いていて、横方向Ｂにおける両側部７１において第１クロッチ部４２ａに対して接合、例えば縫合される一方、両側部７１と７１との間においては、後身頃３に対しても第１クロッチ部４ａに対しても接合、例えば縫合されておらず分離した状態にある。それゆえ、着用したアンダーガーメント１においてブリッジ６７が縦方向Ａの上方に引っ張られると、第２クロッチ部４ｂの後端部分４１ｂは、少なくとも横方向Ｂの中央がブリッジ６７に追随するように上方に引っ張られ、第２クロッチ部４ｂは弾性的に伸長しながら恥骨と肛門とにおいて着用者の肌に密着し、着用者の骨盤底筋を押し上げるように作用することができる。このように作用する第２クロッチ部４ｂは、着用者の腹部を圧迫することがないように前端部分４１ａが恥骨に相当する位置かその位置よりも下方においてアンダーガーメント１に縫合されていることが好ましい。第２クロッチ部４ｂの後端部分４１ｂがアンダーガーメント１に縫合される位置については格別の規定がない。
【００２３】
着用したアンダーガーメント１においてはまた、図１（ａ），（ｂ）に示されている第１クロッチ部４ａの中央部分１１に使用された非弾性的な生地と、後身頃３の臀裂部１７に使用された非弾性的な生地とが臀裂に食い込むように変形して第２クロッチ部４ｂをアンダーガーメント１の表側から裏側に向かって押し上げるように作用することによっても第２クロッチ部４ｂの肌への圧接度合が高まり、骨盤底筋を押し上げようとする作用が強化される。
【００２４】
着用したアンダーガーメント１においてはさらにまた、臀溝を覆う部分３５に接合、例えば縫合されている伸長力の高い二枚重ねのパワーネット６４が臀溝に沿って、好ましくは弾性的に伸長した状態で骨盤を臀部の下方から支えることができる。また、脇部を覆う部分７ｂに接合、例えば縫合されている伸長力の高い二枚重ねのパワーネット６４は、骨盤を側方から支えて、骨盤の側方へ広がろうとする動きを抑えることができる。骨盤がこのように支えられることによって、骨盤底筋は収縮することが容易になる。さらには、前身頃２のうちで着用者の腹部を覆う部分である中央部分２ａ（図１（ａ）参照）、より具体的にいえば、着用時において恥骨に相当する部分よりも上方にあって左右の腸骨に相当する部分の間にある中央部分２ａが二方向へ弾性的に伸張する第１弾性生地のみで形成されていることによって、着用者が重い荷物を持ったとき等に生じる腹圧は、それを中央部分２ａからアンダーガーメント１の外側に向かって逃がし、腹圧が骨盤底筋を押し下げるように作用することを防ぐことができる。骨盤がこのように支えられたり、腹圧をこのように逃がしたりすることができることによって、ゆるんでいる骨盤底筋であっても膀胱や尿道を支えることができるようになり、その結果として尿道が締まるようになるから、着用者が咳をしたり、重い荷物を持ったりして腹圧がかかったときでも尿失禁を防ぐことができる。
【００２５】
すなわち、このアンダーガーメント１は、妊娠や出産、肥満等が原因となって骨盤底筋がゆるんで膀胱や尿道が下がってしまい、咳をしたり、重い荷物を持ったりして腹圧がかかったときには尿道をうまく締めることができず、尿が漏れ易いという場合において、特に優れた効果を発揮することができる。
【００２６】
アンダーガーメント１に使用する生地の一例において、ベア天竺（商品名、以下同じ）には、８９質量％の綿糸と、１１質量％のウレタン糸とを含み、１ｍ２当たりの質量が１５０−１６０ｇのものを使用することができる。ＣＳＹ天竺（商品名、以下同じ）には、５６質量％のレーヨン糸と、３５質量％の綿糸と、９質量％のウレタン糸とを含み、１ｍ２当たりの質量が１６５−１７５ｇのものを使用することができる。サテンには、１００質量％のポリエステル糸で形成され、１ｍ２当たりの質量が１５５−１６５ｇのものを使用することができる。パワーネットには、８２質量％のナイロン糸と、１８質量％のウレタン糸とを含み、１ｍ２当たりの質量が１４５−１５５ｇのものを使用することができる。第２クロッチ部４ｂにおける第１シート５１には１００質量％のポリエステル糸で形成され、１ｍ２当たりの質量が１０５−１１５ｇのものを使用することができる。第３シート５３には、１００質量％のポリエステル糸で形成され、１ｍ２当たりの質量が５５−６５ｇのマーキゼットを使用することができる。
【００２７】
表１は、これらの生地のうちのベア天竺、パワーネット、マーキゼット、第１シートについて測定した伸び易さを示している。この測定では、各生地について、幅が３０ｍｍ、長さが１４０ｍｍの試験片を５枚用意した。試験片の長さ方向は、生地が使用されているアンダーガーメント１の縦方向（ただし、クロッチ部４１に関しては、アンダーガーメント１の前後方向）に一致させた。各試験片については、引っ張り試験機を使用して、２９ｍＮの初期荷重を加えた状態で標線間距離が１００ｍｍとなるように一対の標線を記入し、それに続けて下記の荷重を加えてから１分間後の標線間距離の伸び量（ｍｍ）と伸び率（％）とを測定した。
（１）標線間距離：１００ｍｍ
（２）荷重：８．８２Ｎ
（３）測定回数：５回
【００２８】
表１によれば、各生地を一定量伸長させようとするときに必要な伸長力は、ベア天竺、パワーネット、防水布、マーキゼットの順に高くなっていると考えられる。
【００２９】
【表１】
2014163125.tif 000003
【００３０】
これらの生地を使用して製作したアンダーガーメント１を着用したときに、アンダーガーメント１の各部が肌に密着して骨盤や骨盤底筋を支えるように作用したり、腹部を圧迫するように作用したりする程度を知るために、本発明では、成人女子の身体ダミー１００（後記図４参照）を使用して衣服圧を測定した。そのダミー１００としては、社団法人人間生活工学研究センター（ＨＱＬ）による「日本人の人体寸法データブック（２００４−２００６）」の４０代女性の人体寸法データを参考にして菅谷等が製作し、東京都立産業技術研究センター墨田支所が所有する歩行動作ダミー（東京都立産業技術センター研究報告  第７号、Ｐ．５８−６１，２０１２）を採用した。ダミー１００には、圧力測定器として（株）エイエムアイ・テクノ製のエアパックＡＭ１３０３７−１０を組み込んだ。また、ダミー１００には、本発明の実施品であるＭサイズの試験用アンダーガーメントと、市販のＭサイズの失禁患者用アンダーガーメントと、市販のＭサイズの布地アンダーガーメントとを順に着用させて、それぞれのアンダーガーメントによる衣服圧を測定した。試験用アンダーガーメントには、ＪＩＳ  Ｌ  ４００５（２００１年版）「成人女子用衣料のサイズ」の表１１−３に記載の基本身体寸法におけるＭサイズのヒップの寸法を適用した。その表におけるＭサイズのヒップの寸法は８７−９５ｃｍである。なお、試験用アンダーガーメントについては、衣服圧の測定に先立って各部位の伸び易さを測定した。
【００３１】
表２は、試験用アンダーガーメントにおける各部位の伸び易さの測定結果を示している。この測定では、各部位から幅が１０ｍｍ、長さが５０ｍｍの試験片を５枚のアンダーガーメントそれぞれから１枚ずつ、合計５枚採取した。試験片の長さ方向は各部位の長さ方向に一致させ、幅はその長さ方向に直交する方向とした。各試験片については、引っ張り試験機を使用して、２９ｍＮの初期荷重をかけた状態で、標線間距離が３０ｍｍとなるように一対の標線を記入し、それに続けて下記の荷重を加えてから１分間後の標線間距離の伸び量（ｍｍ）と伸び率（％）とを測定した。
（１）標線間距離：３０ｍｍ
（２）試験片の幅：１０ｍｍ
（３）荷重：２．９４Ｎ
（４）測定回数：５回
【００３２】
【表２】
2014163125.tif 000004
【００３３】
図３，４は、衣服圧の測定結果を示す円グラフと、ダミー１００においての衣服圧測定位置とを示す図である。衣服圧は、表２の特性を有する試験用アンダーガーメントについて、図１，２に示されたクロッチ部４１と向かい合うダミー１００の尿道口の直上の部分（図３では尿道口と表示）と、膣の部分と、肛門の直上の部分（図３では肛門と表示）、図１，２に示された臀溝を覆う部分３５と向かい合うダミー１００の臀溝のうちの肛門側の部分と、脇部側の部分、図２に示された脇部を覆う部分７ｂと向かい合うダミー１００の脇の部分のうちの腸骨稜の下方の部分（図３では脇と表示）、図２に示された腹部を覆う部分である腹部の中央部分２ａと向かい合うダミー１００の腹の部分のそれぞれにおいて測定した。また、ダミー１００において、ウエストライン２１と向かい合う部分の衣服圧は、衣服圧を比較する対象から外し、測定しなかった。その他のアンダーガーメントについては、試験用アンダーガーメントと同じ位置で衣服圧を測定した。
【００３４】
ダミー１００には、エイエムアイ・テクノ社製の２型と５型の圧力センサを貼り付けて、同社製のエアパックＡＭ１３０３７−１０につないだ。２型の圧力センサは、直径２０ｍｍのもので、クロッチ部４１と向かい合う部分以外の部分における衣服圧の測定に使用した。５型の圧力センサは、幅８ｍｍ、長さ２８ｍｍのもので、クロッチ部４１と向かい合う部分の衣服圧の測定に使用した。図３には、試験用アンダーガーメントのクロッチ部４１に市販の失禁患者用吸尿パッド（ユニ・チャーム（株）製の「吸収さらフィ」（登録商標）の少量用（１５ｃｃ））を取り付けた場合の衣服圧も示されている。
【００３５】
図４の（ａ）と（ｂ）とは、アンダーガーメント１を着用させたダミー１００においての腹側と背側との衣服圧の測定位置を示している。（ａ）、（ｂ）において、ダミー１００は倒立した状態にある。衣服圧の測定に使用した圧力センサは、アンダーガーメント１に覆われていて見ることができない。アンダーガーメント１は、レッグ開口（図示せず）の周縁に装飾用のレース生地ＬＣが縫合されていることを除くと、図１，２に例示のものと同じである。
【００３６】
図３において、試験用アンダーガーメントとその他のアンダーガーメントとの衣服圧を比較すると、試験用アンダーガーメントについては、次のようにいうことができる。尿道口と肛門との間においてクロッチ部４１が着用者のクロッチ部の肌に強く密着して、尿道口の近傍で衣服圧が特に高くなった。臀溝を覆う部分３５は、肛門側の部分から脇部側の部分に及ぶ広い範囲において肌に一様に密着して、衣服圧の分布に大きな変化が認められなかった。試験用アンダーガーメントはまた、腹部に強く密着することがなかった。また、試験用アンダーガーメントについての衣服圧を相互に比較すると、クロッチ部４１、臀溝を覆う部分３５、脇部を覆おう部分７ｂにおける衣服圧は、腹部を覆う部分である中央部分２ａにおける衣服圧よりも高かった。また、尿道口の衣服圧によって代表されるクロッチ部４１の衣服圧は、臀溝を覆う部分３５および脇部を覆う部分７ｂにおける衣服圧よりも高かった。さらには、クロッチ部４１における衣服圧、臀溝を覆う部分３５における衣服圧、脇部を覆う部分７ｂにおける衣服圧、腹部を覆う部分である中央部分２ａにおける衣服圧の順に、衣服圧が低くなった。
【００３７】
衣服圧がこのように分布する試験用アンダーガーメントによれば、骨盤底筋をクロッチ部４１によって支えることができると同時に、骨盤を臀部の周囲から支えるとともに、骨盤に対して脇部の外側から圧を加えて骨盤を締め付けることができるので、緩みを生じている骨盤底筋であっても収縮することが容易になる。また、この試験用アンダーガーメントでは、腹部を圧迫することがないので、着用者が重量物を持ったとき等に生じる腹圧を腹部の前方に向かって逃すことが容易になる。図３はまた、試験用アンダーガーメントにおけるこのような作用が、吸尿パッドを併用したときに一層顕著になることを示している。
【００３８】
なお、図３において、クロッチ部４１における衣服圧のうちで、尿道口の近傍と肛門の近傍とにおいて衣服圧が高いということは、前身頃２と後身頃３とによってクロッチ部４１の前端部分と後端部分とが強く引き上げられて、クロッチ部４１がダミー１００の股部に強く密着していることを意味していると考えられる。また、膣において衣服圧が検出されていることは、クロッチ部４１がそのように密着していることを証明していると考えられる。ただし、膣においては、クロッチ部４１が強く密着することによって、柔軟な材料で形成されているダミーが変形し、その結果として、衣服圧が他の部分の衣服圧よりも低くなっていると考えられる。それゆえ、この発明では、膣での衣服圧が、アンダーガーメントどうしの衣服圧の比較の対象から外してある。
【００３９】
以上に説明した開示に係る本発明は、少なくとも、以下の如く整理することができる。
横方向およびこれに直交する縦方向を有し、弾性的に伸長する前身頃および後身頃と、前端部および後端部を有するクロッチ部とを含み、前記クロッチ部の前記前端部および前記後端部は、前記前身頃および前記後身頃に接合されているアンダーガーメントであって、
着用時において、前記前身頃は前記アンダーガーメントの着用者の腹部を覆うことができ、かつ、前記後身頃は前記着用者の臀部と臀溝と脇部とを覆うことができるように形成され、前記クロッチ部は、着用者のクロッチ部を覆うことができるように形成されていて、前記横方向の中央部に前記縦方向へ伸長しない、前記アンダーガーメントの表側に位置する第１クロッチ部と、前記縦方向へ弾性的に伸長し前記アンダーガーメントの裏側に位置し前記第１クロッチ部に重なる第２クロッチ部とを含み、
成人女子の人体ダミーに着用させたときの前記アンダーガーメントによって生じる衣服圧は、前記アンダーガーメントのウエストラインにおける前記衣服圧を除いて、前記クロッチ部、前記臀溝を覆う部分および前記脇部を覆う部分における前記衣服圧が前記腹部を覆う部分における前記衣服圧よりも高い前記アンダーガーメント。
【００４０】
本発明は、少なくとも、以下の実施形態を含み、該実施形態は、それぞれ単独または組み合わせて構成することができる。
（１）前記クロッチ部における前記衣服圧が前記臀溝を覆う部分および前記脇部を覆う部分における前記衣服圧よりも高い。
（２）前記衣服圧は、前記クロッチ部における衣服圧、前記臀溝を覆う部分における衣服圧の最大値、前記脇部を覆う部分における衣服圧、前記腹部を覆う部分における衣服圧の順に低い。
（３）前記前身頃および前記後身頃は弾性的に伸長する生地から形成され、該生地には、互いに直交する二方向へ弾性的に伸長する第１弾性生地が使用され、前記第１クロッチ部の前記中央部には非伸長性生地が使用され、前記第２クロッチ部には弾性的な伸長性を有する第２弾性生地が使用されており、
前記後身頃の裏側には、前記ウエストラインに沿う部分と、前記クロッチ部の後端部から前記脇部にまで延びる前記臀溝を覆う部分と、前記臀溝を覆う部分から前記ウエストラインに沿う部分にまで延びる前記脇部を覆う部分とにおいて前記第１弾性生地に対しての当て布が接合され、前記当て布もまた互いに直交する二方向への弾性的伸長性を有しており、
前記第１クロッチ部は、前記クロッチ部の前記前端部分と前記後端部分とになる前端部分と後端部分とが前記前身頃と前記後身頃とに接合され、
前記第２クロッチ部は、前記第１クロッチ部の前記前端部分と前記後端部分とに接合されていて、前記前端部分と前記後端部分との間では前記第１クロッチ部から分離している。
（４）前記当て布は、前記第１弾性生地よりも高い伸長力を有する。
（５）前記アンダーガーメントの裏側には、着用時において臀裂に沿って前記アンダーガーメントの前記縦方向へ延びていて下端部が前記第２クロッチ部の前記後端部分に接合され、上端部が前記ウエストラインに接合されているパワーネットで形成されたブリッジを有し、前記第２クロッチ部の前記後端部分は前記横方向の両側部においてのみ前記第１クロッチ部に接合されている。
（６）前記第２クロッチ部の前記前端部分は、着用時において恥骨に相当する位置または恥骨よりも下方の位置で前記前身頃に接合されている。
（７）前記脇部における前記当て布は、着用時において腸骨の位置または腸骨よりも後方の位置で前記アンダーガーメントに接合されている。
（８）前記アンダーガーメントの前記前身頃は、着用時において恥骨より上方に位置しかつ腸骨と腸骨との間に位置して前記腹部を覆う部分が前記第１弾性生地だけで形成されている。
（９）前記第２クロッチ部は、非透水性生地と、パワーネットと、マーキゼットとが順に重なる三層構造を有し、前記非透水性生地が前記アンダーガーメントの着用者の肌と向かい合う位置にある。
（１０）前記第１クロッチ部の前記非伸長性生地がサテンである。
（１１）前記ウエストラインと前記脇部とが交差する部位において、前記当て布が重なり合っている。
【符号の説明】
【００４１】
１    アンダーガーメント
２    前身頃、腹部を覆う部分
３    後身頃
４    クロッチ部
４ａ    第１クロッチ部
４ｂ    第２クロッチ部
７    脇部を覆う部分
７ｂ    脇部を覆う部分
２１    ウエストライン
２２ａ    中央部分
３１    当て布（第１当て布）
３６    当て布（第２当て布）
３５    臀溝を覆う部分
４１ａ    前端部分
４１ｂ    後端部分
６３    下端部
６７    ブリッジ
６８    後端部
６９    前端部
７１    端部
Ａ    縦方向
Ｂ    横方向
【図１】
2014163125.tif 000005
【図２】
2014163125.tif 000006
【図３】
2014163125.tif 000007
【図４】
2014163125.tif 000008
【手続補正書】
【提出日】平成28年8月22日(2016.8.22)
【手続補正１】
【補正対象書類名】特許請求の範囲
【補正対象項目名】請求項１
【補正方法】変更
【補正の内容】
【請求項１】
横方向およびこれに直交する縦方向を有し、弾性的に伸長する前身頃および後身頃と、前端部および後端部を有するクロッチ部とを含み、前記クロッチ部の前記前端部および前記後端部は、前記前身頃および前記後身頃に接合されているアンダーガーメントであって、
着用時において、前記前身頃は前記アンダーガーメントの着用者の腹部を覆うことができ、かつ、前記後身頃は前記着用者の臀部と臀溝と脇部とを覆うことができるように形成され、前記クロッチ部は、着用者のクロッチ部を覆うことができるように形成されていて、前記横方向の中央部に前記縦方向へ伸長しない、前記アンダーガーメントの表側に位置する第１クロッチ部と、前記縦方向へ弾性的に伸長し前記アンダーガーメントの裏側に位置し前記第１クロッチ部に重なる第２クロッチ部とを含み、
成人女子の人体ダミーに着用させたときの前記アンダーガーメントによって生じる衣服圧は、前記アンダーガーメントのウエストラインにおける前記衣服圧を除いて、前記クロッチ部、前記臀溝を覆う部分および前記脇部を覆う部分における前記衣服圧が前記腹部を覆う部分における前記衣服圧よりも高いアンダーガーメント。
【手続補正２】
【補正対象書類名】特許請求の範囲
【補正対象項目名】請求項４
【補正方法】変更
【補正の内容】
【請求項４】
前記前身頃および前記後身頃は弾性的に伸長する生地から形成され、該生地には、互いに直交する二方向へ弾性的に伸長する第１弾性生地が使用され、前記第１クロッチ部の前記中央部には非伸長性生地が使用され、前記第２クロッチ部には弾性的な伸長性を有する第２弾性生地が使用されており、
前記後身頃の裏側には、前記ウエストラインに沿う部分と、前記クロッチ部の前記後端部から前記脇部にまで延びる前記臀溝を覆う部分と、前記臀溝を覆う部分から前記ウエストラインに沿う部分にまで延びる前記脇部を覆う部分とにおいて前記第１弾性生地に対しての当て布が接合され、前記当て布もまた互いに直交する二方向への弾性的伸長性を有しており、
前記第１クロッチ部は、前記クロッチ部の前記前端部と前記後端部とになる前端部分と後端部分とが前記前身頃と前記後身頃とに接合され、
前記第２クロッチ部は、前記第１クロッチ部の前記前端部分と前記後端部分とに縫合されていて、前記前端部分と前記後端部分との間では前記第１クロッチ部から分離している請求項１−３のいずれかに記載のアンダーガーメント。
【手続補正３】
【補正対象書類名】明細書
【補正対象項目名】００３９
【補正方法】変更
【補正の内容】
【００３９】
以上に説明した開示に係る本発明は、少なくとも、以下の如く整理することができる。
横方向およびこれに直交する縦方向を有し、弾性的に伸長する前身頃および後身頃と、前端部および後端部を有するクロッチ部とを含み、前記クロッチ部の前記前端部および前記後端部は、前記前身頃および前記後身頃に接合されているアンダーガーメントであって、
着用時において、前記前身頃は前記アンダーガーメントの着用者の腹部を覆うことができ、かつ、前記後身頃は前記着用者の臀部と臀溝と脇部とを覆うことができるように形成され、前記クロッチ部は、着用者のクロッチ部を覆うことができるように形成されていて、前記横方向の中央部に前記縦方向へ伸長しない、前記アンダーガーメントの表側に位置する第１クロッチ部と、前記縦方向へ弾性的に伸長し前記アンダーガーメントの裏側に位置し前記第１クロッチ部に重なる第２クロッチ部とを含み、
成人女子の人体ダミーに着用させたときの前記アンダーガーメントによって生じる衣服圧は、前記アンダーガーメントのウエストラインにおける前記衣服圧を除いて、前記クロッチ部、前記臀溝を覆う部分および前記脇部を覆う部分における前記衣服圧が前記腹部を覆う部分における前記衣服圧よりも高い。
【手続補正４】
【補正対象書類名】明細書
【補正対象項目名】００４０
【補正方法】変更
【補正の内容】
【００４０】
本発明は、少なくとも、以下の実施形態を含み、該実施形態は、それぞれ単独または組み合わせて構成することができる。
（１）前記クロッチ部における前記衣服圧が前記臀溝を覆う部分および前記脇部を覆う部分における前記衣服圧よりも高い。
（２）前記衣服圧は、前記クロッチ部における衣服圧、前記臀溝を覆う部分における衣服圧の最大値、前記脇部を覆う部分における衣服圧、前記腹部を覆う部分における衣服圧の順に低い。
（３）前記前身頃および前記後身頃は弾性的に伸長する生地から形成され、該生地には、互いに直交する二方向へ弾性的に伸長する第１弾性生地が使用され、前記第１クロッチ部の前記中央部には非伸長性生地が使用され、前記第２クロッチ部には弾性的な伸長性を有する第２弾性生地が使用されており、
前記後身頃の裏側には、前記ウエストラインに沿う部分と、前記クロッチ部の前記後端部から前記脇部にまで延びる前記臀溝を覆う部分と、前記臀溝を覆う部分から前記ウエストラインに沿う部分にまで延びる前記脇部を覆う部分とにおいて前記第１弾性生地に対しての当て布が接合され、前記当て布もまた互いに直交する二方向への弾性的伸長性を有しており、
前記第１クロッチ部は、前記クロッチ部の前記前端部と前記後端部とになる前端部分と後端部分とが前記前身頃と前記後身頃とに接合され、
前記第２クロッチ部は、前記第１クロッチ部の前記前端部分と前記後端部分とに接合されていて、前記前端部分と前記後端部分との間では前記第１クロッチ部から分離している。
（４）前記当て布は、前記第１弾性生地よりも高い伸長力を有する。
（５）前記アンダーガーメントの裏側には、着用時において臀裂に沿って前記アンダーガーメントの前記縦方向へ延びていて下端部が前記第２クロッチ部の前記後端部分に接合され、上端部が前記ウエストラインに接合されているパワーネットで形成されたブリッジを有し、前記第２クロッチ部の前記後端部分は前記横方向の両側部においてのみ前記第１クロッチ部に接合されている。
（６）前記第２クロッチ部の前記前端部分は、着用時において恥骨に相当する位置または恥骨よりも下方の位置で前記前身頃に接合されている。
（７）前記脇部における前記当て布は、着用時において腸骨の位置または腸骨よりも後方の位置で前記アンダーガーメントに接合されている。
（８）前記アンダーガーメントの前記前身頃は、着用時において恥骨より上方に位置しかつ腸骨と腸骨との間に位置して前記腹部を覆う部分が前記第１弾性生地だけで形成されている。
（９）前記第２クロッチ部は、非透水性生地と、パワーネットと、マーキゼットとが順に重なる三層構造を有し、前記非透水性生地が前記アンダーガーメントの着用者の肌と向かい合う位置にある。
（１０）前記第１クロッチ部の前記非伸長性生地がサテンである。
（１１）前記ウエストラインと前記脇部とが交差する部位において、前記当て布が重なり合っている。
【国際調査報告】
2014163125.tif 000009
2014163125.tif 000010
2014163125.tif 000011
2014163125.tif 000012